(57)【要約】【課題】  ユーザの要望や処理対象となる複数の紙幣に応じて各集積庫に割り当てる紙幣の条件を簡単に設定することができる。【解決手段】  紙幣を検査し、この検査結果と複数の集積庫に割り当てられている紙幣の条件とに基づいて紙幣を各集積庫に区分する紙幣処理装置において、各集積庫に割り当てられている券種あるいは状態などの紙幣の条件を表示部に表示し、この表示部に表示されている集積庫のうち選択されている集積庫に選択されている条件の紙幣を割り当てて記憶するようにしたものである。【選択図】      図２
2006202036.tif 000002
【特許請求の範囲】
【請求項１】
紙葉類を検査し、この検査結果と複数の集積部に割り当てられている紙葉類の条件とに基づいて紙葉類を各集積部に区分する紙葉類処理装置において、
各集積部に割り当てられている紙葉類の条件を示す情報を表示する表示手段と、
この表示手段により表示されている集積部を選択する第１の選択手段と、
前記表示手段により表示されている紙葉類の条件を選択する第２の選択手段と、
前記第１の選択手段により集積部が選択され、かつ、前記第２の選択手段により紙葉類の条件が選択された場合、前記第１の選択手段により選択された集積部に前記第２の選択手段により選択された条件の紙葉類を割り当てる設定手段と、
を具備することを特徴とする紙葉類処理装置。
【請求項２】
前記第２の選択手段は、紙葉類の条件として紙葉類の券種を選択する手段である、ことを特徴とする前記請求項１に記載の紙葉類処理装置。
【請求項３】
前記第２の選択手段は、紙葉類の条件として紙葉類の汚損状態を選択する手段である、ことを特徴とする前記請求項１に記載の紙葉類処理装置。
【請求項４】
前記第２の選択手段は、紙葉類の条件として紙葉類の向きを選択する手段である、ことを特徴とする前記請求項１に記載の紙葉類処理装置。
【請求項５】
前記第２の選択手段は、紙葉類の条件を、券種および汚損状態の組み合わせで選択する手段である、ことを特徴とする前記請求項１に記載の紙葉類処理装置。
【請求項６】
前記表示手段は、各集積部に対して割り当てられている紙葉類の条件を示す情報を一覧表示する表示領域を有する設定画面を表示する、ことを特徴とする前記請求項１に記載の紙葉類処理装置。
【請求項７】
前記表示手段は、紙葉類の条件に対して割り当てられている集積部を示す情報を表示する表示領域を有する設定画面を表示する、ことを特徴とする前記請求項１に記載の紙葉類処理装置。
【請求項８】
さらに、前記表示手段は、前記設定手段により前記第１の選択手段により選択された集積部に前記第２の選択手段により選択された紙葉類の条件を割り当てた場合、当該集積部に対して紙葉類の第２の条件を設定するための表示領域を追加表示する、ことを特徴とする前記請求項１に記載の紙葉類処理装置。
【請求項９】
さらに、前記表示手段により表示されている設定内容の保存を指示するための保存指示手段と、
前記保存指示手段が指示された際に、前記表示手段により表示されている設定内容を設定情報として保存する保存手段と、を有することを特徴とする前記請求項１に記載の紙葉類処理装置。
【請求項１０】
さらに、前記表示手段により表示されている設定内容を保存するための設定名を指定するための設定名指定手段と、
前記表示手段により表示されている設定内容を前記設定名指定手段により指定された設定名で保存する保存手段と、を有する、ことを特徴とする前記請求項９に記載の紙葉類処理装置。
【請求項１１】
さらに、前記保存手段により設定内容を保存している複数の設定名から１つの設定名を選択する第３の選択手段と、
この第３の選択手段により選択されている設定名の設定内容を読み込むための読込指示手段と、を有し、
前記表示手段は、前記読込指示手段が指示された際、前記第３の選択手段により選択されている設定名の設定内容を示す情報を表示する、ことを特徴とする前記請求項１０に記載の紙葉類処理装置。
【請求項１２】
さらに、汚損状態に基づいて紙葉類を正券と損券とに分類するための基準値を設定するための基準値設定手段を有する、ことを特徴とする前記請求項１に記載の紙葉類処理装置。
【請求項１３】
前記基準値設定手段は、紙葉類の券種ごとに前記基準値を設定する、ことを特徴とする前記請求項１２に記載の紙葉類処理装置。
【請求項１４】
管理者であるか否かを認証する認証手段を有し、
前記設定手段は、前記認証手段により認証された管理者による操作によってのみ設定処理を実行する、ことを特徴とする前記請求項１に記載の紙葉類処理装置。
【請求項１５】
紙葉類を集積する複数の集積部を有する紙葉類処理装置において、
各集積部に割り当てられている紙葉類の条件を示す複数の設定内容を複数の設定名で保存している保存手段と、
この保存手段に保存されている複数の設定名から１つの設定名を選択する選択手段と、
この選択手段により選択された設定名の設定内容を読み込む読込手段と、
この読込手段により読み込んだ設定内容に基づいて動作設定を行う設定手段と、
複数の紙葉類を１つづつ取り出す取出し部と、
この取出し部により取り出された紙葉類を検査する検査手段と、
この検査手段による検査結果と前記設定手段により設定された各集積庫に割り当てられている紙葉類の条件とに基づいて紙葉類の集積先となる集積庫を判別する判別手段と、
この判別手段による判別結果に基づいて紙葉類を各集積庫に集積する集積手段と、
を具備することを特徴とする紙葉類処理装置。
【発明の詳細な説明】
【技術分野】
【０００１】
この発明は、複数の種類からなる複数の紙葉類をまとめて投入し、券種あるいは汚損度や向きなどの状態に基づいて紙葉類を区分し、区分した各紙葉類を複数の集積庫に集積する紙葉類処理装置に関する。
【背景技術】
【０００２】
従来、たとえば、紙葉類処理装置としての紙幣処理装置は、複数の券種からなる複数の紙幣を券種あるいは紙幣の状態などの条件に応じて区分する装置である。このような紙幣処理装置では、紙幣の条件（種類あるいは紙幣の状態）に応じて割り当てられる複数の集積庫を有している。上記紙幣処理装置では、紙幣の種類あるいは紙幣の状態を判別部により判別し、その判別結果に基づいて各紙幣を各集積庫に集積するようになっている。
【０００３】
上記のような紙幣処理装置における各集積庫に対する紙幣の条件（券種あるいは状態）の割り当ては、ユーザの要望や処理対象となる複数の紙幣に応じて臨機応変に変更するのが好ましい。たとえば、処理対象となる複数の紙幣に特定の券種が多いことが予想される場合、多く含まれると予想される券種は、係員が作業をし易い集積庫を割り当てる。これにより、係員は、最も満杯になる頻度が多い集積庫に対して作業を楽に行うことができる。また、紙葉類処理装置が所定数の紙幣を施封する施封装置を装備する場合、処理対象となる複数の紙幣に多く含まれると予想される券種を施封装置で施封する券種として割り当てる。これにより、最も処理数が多い券種の紙幣に対して区分後の施封作業までを効率よく行うことができる。
【０００４】
しかしながら、従来の紙幣処理装置において、複数の集積庫に対する紙幣の条件（紙幣の種類あるいは状態）の割り当ては、固定されているか、あるいは、特殊な操作によってのみ変更するようになっている。このため、ユーザの要望や処理対象となる複数の紙幣に応じて臨機応変に各集積庫に割り当てる紙幣の条件を簡単に設定できるものが要望されている。
【特許文献１】特開２００２−３１９１５３号
【特許文献２】特開２００３−２８１５９８号
【発明の開示】
【発明が解決しようとする課題】
【０００５】
この発明は、上記のような要望を解決するものであり、ユーザの要望や処理対象となる複数の紙幣に応じて各集積庫に割り当てる紙幣の条件を簡単に設定することができる紙葉類処理装置を提供することを目的とする。
【課題を解決するための手段】
【０００６】
この発明の紙葉類処理装置は、紙葉類を検査し、この検査結果と複数の集積部に割り当てられている紙葉類の条件とに基づいて紙葉類を各集積部に区分するものにおいて、各集積部に割り当てられている紙葉類の条件を示す情報を表示する表示手段と、この表示手段により表示されている集積部を選択する第１の選択手段と、前記表示手段により表示されている紙葉類の条件を選択する第２の選択手段と、前記第１の選択手段により集積部が選択され、かつ、前記第２の選択手段により紙葉類の条件が選択された場合、前記第１の選択手段により選択された集積部に前記第２の選択手段により選択された条件の紙葉類を割り当てる設定手段とを有する。
【発明の効果】
【０００７】
この発明によれば、ユーザの要望や処理対象となる複数の紙幣に応じて各集積庫に割り当てる紙幣の条件を簡単に設定することができる紙葉類処理装置を提供できる。
【発明を実施するための最良の形態】
【０００８】
この発明を実施するための最良の形態について図面を参照しつつ詳細に説明する。  
図１は、この発明の実施の形態に係る紙幣処理システム（紙葉類処理装置）の概略構成を示すものである。  
この紙幣処理システムは、紙幣処理装置本体１と紙幣処理装置本体１を操作するための制御装置２とから構成されている。上記制御装置２が制御する紙幣処理装置本体１は、１台であっても、複数台であっても良い。
【０００９】
紙幣処理装置本体１は、紙幣を種類あるいは状態に応じて区分し、区分した紙幣を種類あるいは状態ごとに集積する区分集積装置１Ａと所定数毎に紙幣を施封する施封装置１Ｂとを有している。上記紙幣処理装置本体１は、１つの区分集積装置１Ａに対して任意の数の施封装置１Ｂが接続可能な構成となっている。
【００１０】
上記区分集積装置１Ａは、複数の種類からなる複数の紙幣が一括して投入される。上記区分集積装置１Ａは、投入された各紙幣の種類及び状態に応じて分類する。上記区分集積装置１Ａは、分類した紙幣を各集積庫（カセット）あるいは施封装置１Ｂへ搬送する。上記施封装置１Ｂは、上記区分集積装置１Ａから供給される紙幣を集積庫（カセット）に集積し、所定数毎に紙帯で施封する。
【００１１】
上記制御装置２は、上記紙幣処理装置本体１の制御、上記紙幣処理装置本体１に対する動作設定、あるいは上記紙幣処理装置本体１による処理データの管理などを行う。上記制御装置２は、たとえば、パーソナルコンピュータにより構成される。上記制御装置２は、後述する表示部、操作部および記憶部などを有している。
【００１２】
次に、上記紙幣処理装置本体１の内部の構成について説明する。
【００１３】
図１に示すように、紙幣処理装置本体１は、区分集積装置１Ａおよび施封装置１Ｂにより構成されている。
【００１４】
上記区分集積装置１Ａには、複数の紙幣Ｐを投入する投入部４が設けられている。上記投入部４には、複数の種類が混在する複数の紙幣が一括して投入される。上記投入部４に投入される紙幣Ｐは、それぞれ長手方向と短手方向とを有する。上記投入部４には、紙幣の長手方向の上端或いは下端が下を向く姿勢で投入される。
【００１５】
上記投入部４は、ステージ５、バックアッププレート６、および、取出しローラ１０を有している。上記ステージ５には、複数の紙幣Ｐがその上端或いは下端に当接して整位された状態で投入される。上記バックアッププレート６は、上記ステージ５に対して鉛直方向に立設されている。上記バックアッププレート６は、ばね８によりステージ５に沿って取出しローラ１０側（図中左方向）に移動するようになっている。上記取出しローラ１０は、１対のローラにより構成される。上記取出しローラ１０は、所定方向に回転することによりステージ５上の図中左端にある紙幣Ｐを順に取り出す。したがって、上記投入部４に投入された複数の紙幣Ｐは、バックアッププレート６によってステージ５に沿って図中左方向に移動され、取出しローラ１０（取出し部）に押し付けられる。
【００１６】
上記取出しローラの後段には、搬送路１２が設けられている。上記搬送路１２は、複数のローラ１５と搬送ベルト１４、１６により構成されている。上記搬送路１２では、複数のローラ１５により駆動する搬送ベルト１４、１６により紙幣Ｐが搬送される。上記搬送路１２には、上記取出しローラ１０により取り出された紙幣Ｐが順に供給される。たとえば、上記取出しローラ１０は、紙幣Ｐをその上端或いは下端を先頭にして短手方向に搬送路１２に供給する。また、上記取出しローラ１０により搬送路１２上に供給される紙幣Ｐは、表裏がばらばらの状態となっている。図１に示す構成例では、上記投入部４から取出される紙幣Ｐの取出し方向は下向きとなっている。
【００１７】
上記取出しローラ１０の後段に延設された搬送路１２上には、検知部３０が設けられている。上記検知部３０は、紙幣Ｐの券種、表裏、天地、汚れや破損の有無等の特徴を検知する。上記検知部３０は、種々のセンサにより構成される。上記検知部３０に設けられる種々のセンサは、搬送路１２を搬送される紙幣Ｐから種々の情報を読み取る。上記検知部３０には、たとえば、紙幣Ｐの表面の画像を読み取るイメージセンサ、紙幣Ｐの厚さを検知するセンサ、紙幣Ｐに含まれる磁性体を検知するセンサなどが設けられる。上記検知部３０の各センサにより読み取った情報に基づいて、後述する判定部は、上述したような紙幣Ｐの特徴を判定する。
【００１８】
図１に示す区分集積装置１Ａでは、表裏および天地がばらばらの状態の複数の紙幣Ｐが上記投入部４に投入される。このため、上記検知部３０を通過する各紙幣Ｐも、表裏および天地がばらばらな状態となっている。ここで、上記検知部３０を通過する紙幣Ｐの表裏および天地に関する向きは４種類ある。以下の説明では、表面が上方を向いて搬送方向前方に対して上端を向けて取出された紙幣Ｐを表上（ＦＦ）券と称し、表面が上方を向いて搬送方向前方に対して下端を向けて取出された紙幣Ｐを表下（ＦＲ）券と称し、裏面が上方を向いて搬送方向前方に対して上端を向けて取出された紙幣Ｐを裏上（ＢＦ）券と称し、裏面が上方を向いて搬送方向前方に対して下端を向けて取出された紙幣Ｐを裏下（ＢＲ）券と称する。つまり、検知部３０を通過して搬送される紙幣Ｐは、これら４種類の搬送姿勢のうちいずれかの姿勢で搬送されることになる。
【００１９】
上記検知部３０の後段に延設された搬送路１２上には、検知部３０における検知結果に基づいて紙幣Ｐの搬送方向を選択的に切換えるための複数のゲートＧ１〜Ｇ９が設けられている。
【００２０】
まず、ゲートＧ１は、紙幣Ｐを後段の処理が可能なものとリジェクトするものとに振り分ける。たとえば、上記検知部３０において、後段の処理が不可能であることが判定された紙幣は、ゲートＧ１を介してリジェクト箱３２（図中右方向）へ搬送される。後段の処理が不可能な紙幣としては、たとえば、２枚取りが判定された紙幣、所定のレベルを超えて大きくスキューしたことが判定された紙幣、或いは再流通可能な正券と判定されなかった損券や偽券などの紙幣（紙幣とは限らない）などがある。上記リジェクト箱３２には、紙葉類処理装置１の外部からアクセスが可能となっている。つまり、リジェクト箱３２に集積された紙幣Ｐは、係員が取り出すことができるようになっている。
【００２１】
一方、検知部３０において後段の処理が可能であると判定された紙幣Ｐは、ゲートＧ１を介してゲートＧ２（図中左方向）へ搬送される。ゲートＧ２は、表裏に応じて紙幣Ｐを振り分けるようになっている。ゲートＧ２の下流側の搬送路は、２方向に分岐されている。すなわち、ゲートＧ２は、表裏の状態に応じて紙幣Ｐの搬送方向を２方向に選択的に切換える。
【００２２】
ゲートＧ２の下流側で分岐された一方の搬送路上には、紙幣Ｐの表裏を反転させるための表裏反転機構３４（表裏反転部）が設けられている。また、ゲートＧ２の下流側で分岐された他方の搬送路３６は、紙幣Ｐの表裏を変化させずに、単に紙幣Ｐを通過させる搬送パスとなっている。すなわち、ゲートＧ２の後段では、紙幣Ｐの表裏を取り揃えられるようになっている。
【００２３】
上記表裏反転機構３４は、２組の搬送ベルト３３、３５により構成される。上記搬送ベルト３３および３５は、その入口から出口に向けて中心軸の回りで１８０°回転されたねじり搬送路を形成している。したがって、上記ゲートＧ２により表裏反転機構３４へ振り分けられた紙幣Ｐは、表裏反転される。たとえば、ＦＦ券は、上記表裏反転機構３４により表裏反転され、裏面を上にしたＢＦ券に反転される。
【００２４】
上記表裏反転機構３４を通過して表裏反転された紙幣Ｐ、および、上記表裏反転機構３４を通過せずに搬送路（搬送パス）３６を通過した紙幣Ｐは、いずれも合流部３８を介してゲートＧ３に送り込まれる。
【００２５】
ゲートＧ２から表裏反転機構３４を介して合流部３８に至る紙幣Ｐの処理時間（搬送時間）とゲートＧ２から搬送路３６を介して合流部３８に至る紙幣Ｐの搬送時間とが同じになるように設定されている。これにより、表裏反転機構３４を介して搬送された紙幣Ｐと搬送路３６を通過された紙幣Ｐとが同じタイミングで合流部３８を通過する。
【００２６】
ゲートＧ３は、合流部３８を通過した紙幣Ｐを振り分けるようになっている。ゲートＧ３の下流側の搬送路は、２方向に分岐されている。ゲートＧ３は、紙幣Ｐの種類（あるいは状態）に応じて紙幣Ｐの搬送方向を２方向に選択的に切換える。
【００２７】
ゲートＧ３の下流側で分岐された一方の搬送路は、紙幣Ｐを施封装置１Ｂへ搬送するための搬送路である。また、ゲートＧ３の下流側で分岐された他方の搬送路（水平搬送路）４０は、紙幣Ｐを区分集積装置１Ａ内の各集積庫４１〜４６に集積するための搬送路である。また、各集積庫４１〜４６には、それぞれ紙幣の有無を検知するセンサが設けられている。
【００２８】
すなわち、ゲートＧ３により図中右方向に分岐された水平搬送路４０は、複数の集積庫４１〜４６の上方で略水平方向に延びた搬送路を形成している。水平搬送路４０上には、紙幣Ｐを６つの集積庫４１〜４６のうちのいずれか１つに振り分けて集積するための５つのゲートＧ５〜Ｇ９が設けられている。
【００２９】
水平搬送路４０の最も上流側にあるゲートＧ５によって選択的に振り分けられた紙幣Ｐは集積庫４１に集積される。ゲートＧ６によって選択的に振り分けられた紙幣Ｐは集積庫４２に集積される。ゲートＧ７によって選択的に振り分けられた紙幣Ｐは集積庫４３に集積される。ゲートＧ８によって選択的に振り分けられた紙幣Ｐは集積庫４４に集積される。ゲートＧ９によって選択的に振り分けられた紙幣Ｐは集積庫４５或いは集積庫４６に集積される。
【００３０】
上記施封装置１Ｂは、図１に示すように、集積庫５１、集積庫５２、供給部５３、施封機構５４、印刷機構５５、帯供給部５６を有している。上記集積庫５１、５２は、それぞれゲートＧ４を介して送り込まれた紙幣Ｐを集積する。各集積庫５１、５２には、それぞれ紙幣の有無を検知するセンサが設けられている。
【００３１】
上記供給部５３は、集積庫５１あるいは５２に集積された所定枚数（たとえば１００枚）の紙幣Ｐを施封機構５４に供給する。上記施封機構５４は、供給部５３によって供給される集積庫５１あるいは５２に集積された所定枚数（たとえば１００枚）の紙幣Ｐを紙帯で施封する施封機構である。上記印刷機構５５は、上記施封機構５４で使用する紙帯に所望の印刷データを印刷する。上記帯供給部５６は、上記施封機構５４で使用する紙帯を供給する。
【００３２】
上記施封装置１Ｂには、上記区分集積装置１ＡのゲートＧ３により図中左方向に分岐された搬送路によって紙幣Ｐが供給される。上記区分集積装置１Ａから供給された紙幣Ｐは、施封装置１Ｂ内においてゲートＧ４により搬送方向が２方向に選択的に切換えられる。ゲートＧ４によって分岐搬送される紙幣Ｐは、施封装置１Ｂ内の集積庫５１あるいは集積庫５２に選択的に集積される。
【００３３】
上記ゲートＧ４を介していずれかの集積庫５１あるいは５２に集積された紙幣Ｐは、供給部５３によって施封機構５４へ送り込まれる。上記施封機構５４では、上記帯供給部５６から供給された紙帯によって上記供給部５３により供給された所定枚数の紙幣Ｐを施封する。所定枚数毎に施封された紙幣Ｐの束は、図示しないコンベアを介して装置外へ搬出される。
【００３４】
なお、上記区分集積装置１Ａでは、後述する設定に基づいて特定の券種を施封装置１Ｂへ供給するようになっている。したがって、上記施封装置１Ｂでは、上記区分集積装置１Ａが供給される特定の券種の紙幣を施封するようになっている。また、施封装置１Ｂにて施封すべき券種以外の券種の紙幣Ｐは、上記区分集積装置１Ａ内の集積庫４１〜４６のいずれかに集積される。
【００３５】
次に、紙葉類処理システムの制御系について説明する。  
図２は、上記紙幣処理システムの制御系のブロック図を示す図である。  
上記紙幣処理装置本体１の区分集積装置１Ａの制御系は、図２に示すように、制御部６０、記憶部６１、取出し制御部６２、搬送制御部６３、ゲート制御部６４、判定部６５などにより構成されている。
【００３６】
上記制御部６０は、予め設定した動作プログラムに従って区分集積装置１Ａの全体動作を制御する。上記記憶部６１には、上記制御部６０により実行される動作プログラムが記憶される。また、上記記憶部６１は、データの記憶用に用いられる。たとえば、上記記憶部６１には、各集積庫４１〜４６、および、施封装置１Ｂの集積庫５１、５２に集積される集積枚数を計数する計数テーブルが設けられている。
【００３７】
上記取出し制御部６２は、制御部６０の制御に基づいて取出しローラ１０の駆動するものである。上記搬送制御部６３は、制御部６０の制御に基づいて搬送ローラ１５、…の駆動するものである。上記ゲート制御部６４は、制御部６０の制御に基づいてゲートＧ１〜Ｇ３、Ｇ５〜Ｇ９の駆動を行うものである。
【００３８】
上記判定部６５は、検知部３０の検知結果に基づいて、紙幣Ｐの状態を判定するものである。上記判定部６５では、各センサにより読み取った情報と基準となる情報とを比較することにより紙幣Ｐの特徴を判定する。また、上記判定部６５は、検知部３０の検知結果に基づく判定結果を制御部６０に出力するものである。
【００３９】
たとえば、上記判定部６５は、当該紙幣Ｐの券種を判定するとともに、当該紙幣Ｐの表裏および天地を判定する。さらに、上記判定部６５は、当該紙幣Ｐが正券か損券かを判定する。正券とは、再流通が可能な券であり、損券とは、再流通が不可な券である。つまり、正券か損券かは、紙幣の状態（質）の良し悪しにより判定されるものである。上記判定部６５では、紙幣の汚れ、破れ、折れ、紙質、テープ貼り等の度合いによって正券か損券かを判定する。
【００４０】
上記紙幣処理装置本体１の施封装置１Ｂの制御系は、図２に示すように、制御部７０、記憶部７１、搬送制御部７２、ゲート制御部７３、移動機構７４、施封機構５４、印刷機構５５などにより構成されている。  
上記制御部７０は、予め設定した動作プログラムに従って施封装置１Ｂの全体動作を制御する。上記記憶部７１には、上記制御部７０により実行される動作プログラムが記憶される。上記搬送制御部７２は、上記制御部７０の制御に基づいて搬送ローラを駆動するものである。上記ゲート制御部７３は、上記制御部６０の制御に基づいてゲートＧ４の駆動を行うものである。上記移動機構７４は、上記制御部７０の制御に基づいて上記集積庫５１あるいは５２に集積された所定枚数の紙葉類を移動（搬送）するものである。
【００４１】
上記制御装置２の制御系は、図２に示すように、制御部８０、記憶部８１、表示部８２、操作部８３などにより構成されている。  
上記制御部８０は、予め設定した動作プログラムに従って制御装置２全体の制御を司るものである。たとえば、上記制御部８０は、係員からの操作指示に基づいて上記区分集積装置１Ａに対する各種の動作設定などを行う機能を有する。上記記憶部８１は、上記制御部８０により実行される動作プログラムが記憶される。また、上記記憶部８１には、区分集積装置１Ａの各集積庫４１〜４６、および、施封装置１Ｂの集積庫５１、５２に対する設定情報などが後述するプリセット（設定名）に対応して記憶される。
【００４２】
上記表示部８２は、制御部８０の表示制御に基づいて係員に対する操作案内などを表示するものである。上記操作部８３は、係員が操作指示を入力するものである。上記表示部８２は、ディスプレイ装置などにより構成される。上記操作部８３は、キーボードあるいはマウスなどの入力装置などにより構成される。上記表示部８２と上記操作部８３とは、たとえば、タッチパネル内蔵のディスプレイ装置により構成されるようにしても良い。さらに、上記表示部８２と上記操作部８３とは、タッチパネル内蔵のディスプレイ装置とキーボード等の入力装置とを設けた構成としても良い。
【００４３】
次に、上記制御装置２による紙葉類処理装置本体１の各集積庫（カセット）４１〜４６、５１、５２の設定について説明する。  
ここでは、上記表示部８２と上記操作部８３とは、タッチパネル内蔵のディスプレイ装置により構成されているものとする。また、各集積庫４１〜４６、５１、５２の設定は、管理者（スーパーバイザ）により行われるものとする。
【００４４】
図３は、上記制御装置２においてカセットの設定画面を表示する動作を説明するためのフローチャートである。また、図４は、ログイン画面の表示例を示す図である。図５は、管理者の認証画面の表示例を示す図である。図６は、管理者用のメニュー画面の表示例を示す図である。
【００４５】
まず、上記制御部８０は、上記表示部８２にログイン画面を表示する（ステップＳ１）。たとえば、上記ログイン画面は、図４に示すように、スーパーバイザ（設定変更などの権限を有する管理者）とオペレータ（管理権限を持たない係員）との選択ボタンが表示される。このようなログイン画面において管理者を選択するボタンが入力されると（ステップＳ２、ＹＥＳ）、上記制御部８０は、上記表示部８２に当該管理者の認証画面を表示する（ステップＳ３）。たとえば、管理者の認証画面は、図５に示すように、当該管理者のＩＤ情報とパスワードとを入力画面を表示する。
【００４６】
このような画面において認証情報（ＩＤ情報とパスワード）が入力されると、上記制御部８０は、入力された認証情報が正しいか否かを判断する（ステップＳ４）。この判断により入力された認証情報が正しいと判断した場合（ステップＳ４、ＹＥＳ）、上記制御部８０は、上記表示部８２に管理者用のメニュー画面を表示する（ステップＳ５）。
【００４７】
たとえば、管理者用のメニュー画面には、図６に示すように、少なくともカセットの設定（カセットアサイン）を選択するボタンが表示される。このような管理者用のメニュー画面においてカセットの設定を選択するボタンが入力されると（ステップＳ６、ＹＥＳ）、上記制御部８０は、上記表示部８２に後述するようなカセットアサイン画面を表示する（ステップＳ７）。このカセットアサイン画面において、紙幣処理装置本体１内の各カセットの設定（各カセットに割り当てる紙幣の条件の設定）が行われる。
【００４８】
上記のように、各カセットの設定あるいは正券と損券とを区分するための正損レベルの設定は、パスワード等の認証情報により認証された管理者のみが行えるようになっている。すなわち、上記紙幣処理システムでは、管理者により設定された設定内容に基づいて紙幣を区分するようになっている。これにより、一般のオペレータ（管理権限を有しない係員）が各カセットの設定あるいは正損レベルの設定を変更してしまうことを防止することができる。
【００４９】
次に、各集積庫（カセット）４１〜４６、５１、５２の設定画面について説明する。  
図７は、各集積庫の設定画面（カセットアサイン画面）の表示例である。  
図７に示す表示例では、カセットアサイン画面は、設定状況の表示ウインドウ１０１、設定名の表示ウインドウ１０２、読込ボタン１０３、記憶ボタン１０４、券種指定ボタン１１１〜１１７、状態表示アイコン１２１〜１２７、状態指定ボタン１３０（１３１〜１３４）、追加ボタン１４１、削除ボタン１４２、正損レベル設定ボタン１５１、アプライボタン１５２、紙帯プリント設定ボタン１５３、プリセットボタン１５４、リターンボタン１５５などから構成されている。
【００５０】
上記表示ウインドウ１０１は、各集積庫の設定情報を表示する表示領域である。この表示ウインドウ１０１には、各集積庫４１〜４６、５１、５２に割り当てられている紙幣の券種および条件などが一覧表示されている。図７に示す表示例において、表示ウインドウ１０１の左端の欄は、集積庫を示す情報が表示される。たとえば、「Ｓ１−１」は、施封装置１Ｂの集積庫５１を示し、「Ｓ１−２」は、施封装置１Ｂの集積庫５２を示す。さらに、「Ｓ２−１」〜「Ｓ４−２」は、２台目以降の施封装置の各集積庫を示している。
【００５１】
なお、図１では、区分集積装置１Ａに対して１台の施封装置を接続した構成を示しているが、紙葉類処理システムでは、上述したように、１台の区分集積装置１Ａに対して複数台の施封装置を接続することが可能である。１台の区分集積装置１Ａに対して複数台の施封装置を接続した場合、「Ｓ２−１」〜「Ｓ４−２」は、２台目以降の施封装置の各集積庫を示す。
【００５２】
図７に示す表示ウインドウ１０１の例において、左端の欄の「Ａ」は、区分集積装置１Ａ内の集積庫４１を示し、「Ｂ」は、区分集積装置１Ａ内の集積庫４２を示している。ここで、図７に示す表示例では、「Ａ」の欄が２つ設けられている。これは、「Ａ」つまり集積庫４１に対して２種類の紙幣が割り当てることが可能であることを示している。このように、１つの集積庫に対しても複数種類の紙幣を割り当てることも可能となっている。
【００５３】
図７の表示ウインドウ１０１における左から２つ目の欄は、対応する集積庫に割り当てられている紙幣の券種を示す情報が表示される。たとえば、図７に示す表示ウインドウ１０１の例では、「Ｓ１−１」のカセット（つまり、集積庫５１）および「Ｓ１−１」のカセット（つまり、集積庫５１）に「５００ユーロ」、「Ａ」のカセット（つまり、集積庫４１）に「２０ユーロ」、「Ｂ」のカセット（つまり、集積庫４２）に「１０ユーロ」がそれぞれ割り当てられていることを示している。
【００５４】
図７に示す表示ウインドウ１０１の例において、左から３つ目の欄は、紙幣に対する第１の条件として紙幣の状態を示す情報が表示される。この欄では、紙幣に対する第１の条件として、正券（Ｆｉｔ）、損券（Ｕｎｆｉｔ）、あるいは、正券と損券の混合（Ｍｉｘ）を示す情報が表示される。
【００５５】
たとえば、図７に示す表示ウインドウ１０１の例では、「Ｓ１−１」のカセット（つまり、集積庫５１）および「Ｓ１−１」のカセット（つまり、集積庫５１）には、第１の条件が「Ｍｉｘ」の「５００ユーロ」が割り当てられていることを示している。また、「Ａ」のカセット（つまり、集積庫４１）には、第１の条件が「正券と損券の混合（Ｍｉｘ）」の「２０ユーロ」が割り当てられていることを示している。「Ｂ」のカセット（つまり、集積庫４２）には、第１の条件が「正券と損券の混合（Ｍｉｘ）」の「１０ユーロ」が割り当てられていることを示している。
【００５６】
図７の表示ウインドウ１０１における左から４つ目の欄は、紙幣に対する第２の条件として紙幣の状態を示す情報が表示される。この欄では、紙幣に対する第２の条件として、紙幣の向き（集積庫に集積した時の向き）が、正方向（Ｆｏｒｗａｒｄ）、逆方向（Ｂａｃｋｗａｒｄ）、あるいは、正方向と逆方向の混合（Ｍｉｘ）を示す情報が表示される。なお、区分集積装置１Ａに向きを揃える機構が設けられている場合、このような紙幣の向き（集積庫に集積した時の向き）を示す表示欄は、省略される。
【００５７】
たとえば、図７に示す表示ウインドウ１０１の例では、「Ｓ１−１」のカセット（つまり、集積庫５１）および「Ｓ１−１」のカセット（つまり、集積庫５１）には、第１の条件が「正券と損券の混合（Ｍｉｘ）」で、かつ、第２の条件が「正方向と逆方向の混合（Ｍｉｘ）」の「５００ユーロ」が割り当てられていることを示している。また、「Ａ」のカセット（つまり、集積庫４１）には、第１の条件が「正券と損券の混合（Ｍｉｘ）」で、かつ、第２の条件が「正方向と逆方向の混合（Ｍｉｘ）」の「２０ユーロ」が割り当てられていることを示している。「Ｂ」のカセット（つまり、集積庫４２）には、第１の条件が「正券と損券の混合（Ｍｉｘ）」で、かつ、第２の条件が「正方向と逆方向の混合（Ｍｉｘ）」の「１０ユーロ」が割り当てられていることを示している。
【００５８】
図７の表示ウインドウ１０１における左から５つ目（右端）の欄は、対応する集積庫に割り当てられている紙幣の券種の正損レベルを示す情報が表示される。たとえば、図７に示す表示ウインドウ１０１の例では、各カセットに割り当てられている各券種に対して正損レベルとしてレベル「５」が設定されていることを示している。
【００５９】
上記表示ウインドウ１０２は、「プリセット」と呼ぶ設定名を表示する表示領域である。上記「プリセット」は、図７に示すような設定内容全体に対する設定名である。上記「プリセット」は、たとえば、表示ウインドウ１０２の右端をクリックすることにより変更することができるようになっている。
【００６０】
上記読込ボタン１０３は、上記表示ウインドウ１０２に表示されているプリセットの設定内容を読み込むことを指示するボタンである。上記記憶ボタン１０４は、図７に示す各種のボタンにより設定した内容を上記表示ウインドウ１０２に表示されているプリセット（設定名）で記憶することを指示するボタンである。
【００６１】
上記券種指定ボタン１１１〜１１７は、紙幣の券種を指定するボタンである。図７に示す例では、上記券種指定ボタン１１１が「５ユーロ」、上記券種指定ボタン１１２が「１０ユーロ」、上記券種指定ボタン１１３が「２０ユーロ」、上記券種指定ボタン１１４が「５０ユーロ」、上記券種指定ボタン１１５が「１００ユーロ」、上記券種指定ボタン１１６が「２００ユーロ」、上記券種指定ボタン１１７が「５００ユーロ」、を指定するボタンである。
【００６２】
たとえば、「Ｓ１−１」に「５００ユーロ」を割り当てる場合、図７に示すように、「Ｓ１−１」の欄を選択状態（反転表示状態）としたまま、上記券種指定ボタン１１７を指示する。これにより、上記「Ｓ１−１」のカセットに「５００ユーロ」の紙幣が割り当てられる。
【００６３】
上記状態表示アイコン１２１〜１２７は、紙幣の券種および状態に対応する各区分集積装置１Ａ内の各集積庫４１〜４６の割り当て状態を表示するものである。図７に示す例では、上記表示アイコン１２１が「５ユーロ」、上記表示アイコン１２２が「１０ユーロ」、上記表示アイコン１２３が「２０ユーロ」、上記表示アイコン１２４が「５０ユーロ」、上記表示アイコン１２５が「１００ユーロ」、上記表示アイコン１２６が「２００ユーロ」、上記表示アイコン１２７が「５００ユーロ」、に割り当て状態を示している。
【００６４】
たとえば、図８は、上記券種指定ボタン１１１〜１１７と上記状態表示アイコン１２１〜１２７の例を示す図である。また、図９は、各表示アイコン１２１〜１２７が表す情報を説明するための図である。図８及び図９に示すように、各表示アイコン１２１〜１２７は、それぞれ、正方向の正券（ｆｉｔかつｆｏｒｗａｒｄ）に対する割り当て状態を示すアイコン１２１ａ〜１２７ａ、正方向の損券（ｕｎｆｉｔかつｆｏｒｗａｒｄ）に対する割り当て状態を示すアイコン１２１ｂ〜１２７ｂ、逆方向の正券（ｆｉｔかつｂａｃｋｗａｒｄ）に対する割り当て状態を示すアイコン１２１ｃ〜１２７ｃ、逆方向の損券（ｕｎｆｉｔかつｂａｃｋｗａｒｄ）に対する割り当て状態を示すアイコン１２１ｄ〜１２７ｄにより構成されている。したがって、各表示アイコン１２１〜１２７は、対応する券種について４つの条件ごとに、割り当てられている集積庫４１〜４６を示している。
【００６５】
上記状態指定ボタン１３０は、正券ボタン１３１、損券ボタン１３２、正方向ボタン１３３、および、逆方向ボタン１３４から構成される。上記正券ボタン１３１は、紙幣の条件として、正券（ｆｉｔ）であることを指定するボタンである。上記損券ボタン１３２、紙幣の条件として、損券（ｕｎｆｉｔ）であることを指定するボタンである。上記正方向ボタン１３３は、紙幣の条件として、正方向（ｆｏｒｗａｒｄ）であることを指定するボタンである。上記逆方向ボタン１３４は、紙幣の条件として、逆方向（ｂａｃｋｗａｒｄ）であることを指定するボタンである。
【００６６】
上記追加ボタン１４１は、選択されている集積庫に割り当てられている紙幣の条件（券種及び紙幣の状態）等を追加することを指示するボタンである。上記削除ボタン１４２、選択されている集積庫に割り当てられている紙幣の条件（券種及び紙幣の状態）等を削除することを指示するボタンである。
【００６７】
上記正損レベル設定ボタン１５１は、各紙幣が正券か損券かを判定するための閾値を変更することを指示するボタンである。上記アプライボタン１５２は、画面上に表示されている設定内容を適用することを指示するボタンである。上記紙帯プリント設定ボタン１５３は、施封装置１Ｂにおいて所定数の紙幣を束ねるための紙帯にプリントする内容を設定することを指示するボタンである。上記プリセットボタン１５４は、プリセットとしての設定名を設定することを指示するボタンである。上記リターンボタン１５５は、操作を元に戻すこを指示するボタンである。
【００６８】
次に、上記のようなカセットアサイン画面による設定手順について説明する。  
図１０及び図１１は、図７に示すようなカセットアサイン画面を用いた各種の設定動作を説明するためのフローチャートである。以下の説明では、上記表示部８２及び上記操作部８３がタッチパネル内蔵の表示装置により構成されるものとする。したがって、図７に示す各種のボタン等は、タッチパネルにより管理者が指示入力できる状態で表示装置の画面上に表示されるものとづる。
【００６９】
まず、管理者は、上記表示ウインドウ１０２により設定を行うプリセット（設定名）を指定する。上記プリセット（設定名）が指定されると（ステップＳ１１、ＹＥＳ）、上記制御部８０は、上記表示ウインドウ１０２に指定された「プリセット」と呼ぶ設定名を表示する（ステップＳ１２）。この状態において読込ボタン１０３が指示されると（ステップＳ１３、ＹＥＳ）、上記制御部８０は、上記表示ウインドウ１０２に表示されているプリセットに対応して上記記憶部８１に記憶されている設定内容を読み込む（ステップＳ１４）。
【００７０】
これにより読み込んだ指定されたプリセットの設定内容は、図７に示すようなカセットアサイン画面上に表示される。なお、プリセットの指定及び読込ボタン１０３への指示がない場合、上記制御部８０は、デフォルト設定となるプリセットの設定内容を読み込む。この場合、デフォルト設定となるプリセットの設定内容がカセットアサイン画面として上記表示部８２に表示される。
【００７１】
プリセットの設定内容が読み込まれると、管理者は、図７に示すような各種のボタン等を用いて種々の設定を行う。たとえば、紙幣の券種を指定する場合、上記管理者は、所望の券種に対応する券種指定ボタン１１１〜１１７にタッチする。たとえば、上記券種指定ボタン１１１〜１１７は、タッチされるごとに選択状態と非選択状態とに切り換えられる。上記管理者が所望の券種に対応する何れかの券種指定ボタン１１１〜１１７に触れると（ステップＳ１５、ＹＥＳ）、上記制御部８０は、管理者が触れた券種指定ボタン１１１〜１１７に対応する券種を選択状態あるいは非選択状態とする（ステップＳ１６）。
【００７２】
また、紙幣の状態を指定する場合、管理者は、上記状態指定ボタン１３０における正券ボタン１３１、損券ボタン１３２、正方向ボタン１３３あるいは逆方向ボタン１３４を選択的にタッチすることにより所望の状態を指定する。正券ボタン１３１、損券ボタン１３２、正方向ボタン１３３あるいは逆方向ボタン１３４は、タッチされるごとに選択状態と非選択状態とが切り換えられる。上記管理者が正券ボタン１３１、損券ボタン１３２、正方向ボタン１３３あるいは逆方向ボタン１３４に選択的に触れると（ステップＳ１７、ＹＥＳ）、上記制御部８０は、正券ボタン１３１、損券ボタン１３２、正方向ボタン１３３あるいは逆方向ボタン１３４のうち管理者が触れたボタンを選択状態あるいは非選択状態とする（ステップＳ１８）。
【００７３】
また、集積庫を指定する場合、上記管理者は、上記表示ウインドウ１０１における所望集積庫に対応する表示欄をタッチする。上記表示ウインドウ１０１における各集積庫の表示欄は、タッチされるごとに表示が反転表示（選択状態）と非反転表示（非選択状態）とに切り換えられる。上記管理者が所望の集積庫の表示欄に触れると（ステップＳ１９、ＹＥＳ）、上記制御部８０は、管理者が触れた表示欄に対応する集積庫を選択状態あるいは非選択状態とする（ステップＳ２０）。
【００７４】
券種（券種指定ボタンの何れか）、紙幣の状態（状態設定ボタンの何れか）および集積庫（各集積庫の表示欄の何れか）が選択されると、上記制御部８０は、上記追加ボタン１４１への入力を有効とする。つまり、集積庫、券種および状態が選択されていると判断した場合、上記制御部８０は、上記追加ボタン１４１への入力を受け付け、集積庫、券種および状態の何れかが選択されていないと判断した場合、上記制御部８０は、上記追加ボタン１４１への入力を無効とする。
【００７５】
集積庫（各集積庫の表示欄の何れか）、券種（券種指定ボタンの何れか）および紙幣の状態（状態設定ボタンの何れか）が選択されている状態において管理者が追加ボタン１４１に触れると（ステップＳ２１、ＹＥＳ）、上記制御部８０は、上記表示ウインドウ１０１の選択状態の集積庫の表示欄に、上記券種指定ボタン１１１〜１１７により選択されている券種を示す情報および上記状態指定ボタン１３０により選択されている状態を示す情報を表示する（ステップＳ２２）。
【００７６】
これは、上記表示ウインドウ１０１において選択されている表示欄の集積庫に対して、上記券種指定ボタン１１１〜１１７により選択されている券種と上記状態指定ボタン１３０により選択されている状態とが割り当てられたことを意味する。すなわち、上記追加ボタン１４１が指示された場合、上記制御部８０は、上記表示ウインドウ１０１において選択状態となっている集積庫に、集積する紙幣の条件として券種と紙幣の状態とを付加する。
【００７７】
さらに、上記制御部８０は、上記ステップＳ２２で集積する紙幣の条件が付加された集積庫に対して、新たな表示欄を追加するか否かを判断する（ステップＳ２３）。新たに追加する集積庫の表示欄は、上記ステップＳ２２で集積する紙幣の条件を付加した集積庫に対して、別の条件を設定するためのものである。たとえば、上記区分集積装置１Ａ内の各集積庫４１〜４６には、複数の条件（券種及び状態）を設定できるものとする。この場合、上記制御部８０は、上記ステップＳ２２で設定内容を追加（あるいは変更）した集積庫が区分集積装置１Ａ内の集積庫であるか否かにより表示欄を新たに追加するか否かを判断する。
【００７８】
この判断により上記ステップＳ２２で集積する紙幣の条件が付加された集積庫に対して新たな表示欄を追加すると判断した場合（ステップＳ２３、ＹＥＳ）、上記制御部８０は、当該集積庫の表示欄を新たに追加する。追加される新たな表示欄は、たとえば、上記ステップＳ２２で集積する紙幣の条件が表示された集積庫の表示欄の直下に、新たな当該集積庫の表示欄を表示（挿入）される（ステップＳ２４）。
【００７９】
また、集積庫（各集積庫の表示欄の何れか）が選択されている状態において管理者が削除ボタン１４２に触れると（ステップＳ２５、ＹＥＳ）、上記制御部８０は、上記表示ウインドウ１０１において選択状態となっている集積庫の表示欄に表示されている券種を示す情報と紙幣の状態を示す情報とをクリアする（ステップＳ２６）。これは、上記表示ウインドウ１０１において選択されている表示欄の集積庫に対する設定内容が削除されたことを意味する。
【００８０】
また、管理者が正損レベル設定ボタン１５１に触れると（ステップＳ２７、ＹＥＳ）、上記制御部８０は、紙幣を正券か損券かを判定するための閾値（正損レベル）を変更するための正損レベルの設定画面を表示する（ステップＳ２８）。この正損レベルの設定画面において管理者により指定された情報に応じて、上記制御部８０は、紙幣を正券か損券かを判定するための閾値（正損レベル）を設定する処理を行う（ステップＳ２９）。なお、正損レベルの設定画面および正損レベルの設定処理については、後で詳細に説明する。
【００８１】
また、管理者がプリセットボタン１５４に触れると（ステップＳ３０、ＹＥＳ）、上記制御部８０は、設定内容を保存するための設定名（タイトル）としてのプリセットを設定するプリセットの設定画面を表示する（ステップＳ３１）。このプリセットの設定画面において管理者により指定された情報に応じて、上記制御部８０は、設定内容を保存するためのプリセットを設定する処理を行う（ステップＳ３２）。なお、プリセットの設定画面およびプリセットの設定処理については、後で詳細に説明する。
【００８２】
また、管理者がアプライボタン１５２に触れると（ステップＳ３３、ＹＥＳ）、上記制御部８０は、当該画面上に表示されている設定内容を新たな設定内容として適用する処理を行う（ステップＳ３４）。
【００８３】
また、管理者が紙帯プリント設定ボタン１５３に触れると（ステップＳ３５、ＹＥＳ）、上記制御部８０は、施封装置１Ｂにおいて所定数の紙幣を束ねるための紙帯にプリントする内容を設定する紙帯プリントの設定画面を表示する。この紙帯プリントの設定画面において管理者により指定された情報に応じて、上記制御部８０は、紙帯にプリントする内容を設定する設定処理を行う（ステップＳ３６）。
【００８４】
また、管理者が記憶ボタン１０４に触れると（ステップＳ３７、ＹＥＳ）、上記制御部８０は、設定内容を記憶部８１に保存する（ステップＳ３８）。つまり、上記記憶ボタン１０４が指示されると、上記制御部８０は、カセットアサイン画面において表示されている設定内容を指定されているプリセットで上記記憶部８１に記憶する。また、管理者がリターンボタン１５５に触れると（ステップＳ３９、ＹＥＳ）、上記制御部８０は、上記表示部８２に表示している図７に示すようなカセットアサイン画面を終了する。
【００８５】
上記のようなカセットアサイン設定画面では、各カセットに割り当てる紙幣の券種および状態などをグラフィカルな操作ボタンが表示される。これにより、容易に各カセットの設定を行うことが可能となる。
【００８６】
また、上記のようなカセットアサイン画面では、１つのカセットに対して１つの条件が割り当てられた場合、当該カセットに対して別の条件を設定するための表示欄を表示するようにしている。これにより、１つのカセットに複数の条件（券種あるいは紙幣の状態）を設定することができ、１つのカセットに対して設定した複数の条件を容易に確認することができる。
【００８７】
上記のようなカセットアサイン画面では、各券種に対する集積庫の割り当てを容易に行うことができるとともに、各券種の紙幣に割り当てられている集積庫、あるいは、各集積庫に割り当てられている紙幣の条件を容易に視認できるように表示される。これにより、各券種に対する集積先の割り当てを確実に設定することができ、割り当てに漏れのために、特定の券種の紙幣がリジェクトされることを防止できる。
【００８８】
次に、上記のようなカセットアサイン画面による設定手順の具体例を説明する。  
まず、設定手順の第１の具体例について説明する。  
第１の具体例としては、「Ａ」のカセット（区分集積装置１Ａの集積庫４１）に「２０ユーロ」と「１０ユーロ」とを割り当てる手順について説明する。なお、ここでは、上記状態設定ボタン１３１〜１３４はデフォルト設定により全て選択状態となっているものとする（紙幣の状態としての第１の条件及び第２の条件は、共に「Ｍｉｘ」が選択されている状態とする）。
【００８９】
この場合、管理者は、紙幣の券種として「２０ユーロ」を指定する券種指定ボタン１１３を選択する。たとえば、券種指定ボタン１１１〜１１７が非選択状態であれば、管理者は、券種指定ボタン１１３のみをタッチする。すると、制御部８０は、表示部８２に表示されている「２０ユーロ」を指定する券種指定ボタン１１３が選択状態とする。この状態において管理者が「Ａ」のカセットの欄（行）をタッチすると、制御部８０は、「Ａ」のカセットの欄を反転表示状態（選択状態）とする。
【００９０】
このように券種と集積庫の表示欄とが選択された状態において管理者が追加ボタン１４１にタッチすると、上記制御部８０は、選択状態となっている「Ａ」のカセットの欄に「２０ユーロ」を表示（追加）する。このような手順により「Ａ」のカセットには、「２０ユーロ」の紙幣が割り当てられる。
【００９１】
上述したように、区分集積装置１Ａの各集積庫４１〜４６には、集積する紙幣の条件として複数の条件を設定できるようになっている。このため、上記制御部８０は、選択状態となっている「Ａ」のカセットの欄に「２０ユーロ」を表示するとともに、新たに「Ａ」のカセットの欄（行）を表示する。
【００９２】
すなわち、「Ａ」のカセットに「２０ユーロ」とともに「１０ユーロ」も割り当てる場合、上記管理者は、「１０ユーロ」を指定する券種指定ボタン１１２を選択する。たとえば、券種指定ボタン１１１〜１１７が全て非選択状態である場合、管理者は、上記券種指定ボタン１１２をタッチする。すると、上記制御部８０は、「１０ユーロ」を指定する券種指定ボタン１１３を選択状態とする。なお、上記券種指定ボタン１１２がタッチされると、上記制御部８０は、上記券種指定ボタン１１２を選択状態とし、他の券種指定ボタンを非選択状態とするようにしても良い。
【００９３】
この状態において管理者が新たに追加された「Ａ」のカセットの欄（「２０ユーロ」が登録されていない欄）をタッチすると、制御部８０は、新に追加された「Ａ」のカセットの欄を反転表示状態（選択状態）とする。
【００９４】
このように券種と新に追加された集積庫の表示欄とが選択された状態において管理者が追加ボタン１４１にタッチすると、上記制御部８０は、選択状態となっている新たに追加された「Ａ」のカセットの欄（行）に「１０ユーロ」を表示する。また、集積する紙幣の条件を設定できるようにする場合（３つ以上の条件を１つの集積庫に設定可能とする場合）、上記制御部８０は、新たに「Ａ」のカセットの欄（行）を追加する。
【００９５】
上記のような手順により、「Ａ」のカセットには、「２０ユーロ」の紙幣と「１０ユーロ」の紙幣とが割り当てられる。この結果、「Ａ」のカセットとしての集積庫４１には、１０ユーロの紙幣と２０ユーロの紙幣とが集積されることになる。以上のような第１の具体例の手順によれば、簡単に、１つの集積庫４１（「Ａ」のカセット）に、複数の異なる条件の紙幣を割り当てることができる。  
なお、各カセットの表示欄によるカセットの選択、券種指定ボタンによる券種の選択、および、状態設定ボタンによる紙幣の状態の選択は、どのような順序で行われても良い。
【００９６】
次に、設定手順の第２の具体例について説明する。  
第２の具体例としては、「２０ユーロ」の正券(Ｆｉｔ)を「Ｓ１−１」及び「Ｓ１−２」（施封装置１Ｂの集積庫５１、５２）に割り当て、「２０ユーロ」の損券を「Ｂ」のカセット（区分集積装置１Ａの集積庫４２）に割り当てる手順について説明する。
【００９７】
この場合、管理者は、まず、紙幣の券種として「２０ユーロ」を指定する券種指定ボタン１１３を選択状態とする。たとえば、券種指定ボタン１１１〜１１７が非選択状態であれば、管理者は、券種指定ボタン１１３をタッチする。すると、上記制御部８０は、表示部８２に表示されている「２０ユーロ」を指定する券種指定ボタン１１３を選択状態とする。
【００９８】
また、管理者は、紙幣の状態として、「正券」を指定する正券ボタン１３１を選択状態とするとともに、損券ボタン１３２を非選択状態とする。たとえば、デフォルト状態では、状態指定ボタン１３０としての正券ボタン１３１、損券ボタン１３２、正方向ボタン１３３および逆方向ボタン１３４が全て選択状態となっているものとする。この場合、管理者は、損券ボタン１３２をタッチする。すると、制御部８０は、損券ボタン１３２の選択状態を解除する（損券ボタン１３２を非選択状態とする）。これは、状態指定ボタン１３０のうち損券ボタン１３２以外のボタン（正券ボタン１３１、正方向ボタン１３３および逆方向ボタン１３４）が選択状態となることを意味する。
【００９９】
また、管理者が上記表示ウインドウ１０１の「Ｓ１−１」のカセットの欄（行）をタッチすると、制御部８０は、「Ｓ１−１」のカセットの欄を反転表示状態（選択状態）とする。このように券種と紙幣の状態（正券）とカセットの表示欄とが選択された状態において管理者が追加ボタン１４１にタッチすると、上記制御部８０は、選択状態となっている「Ｓ１−１」のカセットの欄に「２０ユーロ」及び「ＦＩＴ（正券）」を表示する。
【０１００】
すなわち、以上のような手順により、「Ｓ１−１」のカセットの表示欄（行）には、券種として「２０ユーロ」が表示されるとともに、正券と損券との混合であることを示す「Ｍｉｘ」ではなく、正券であることを示す「Ｆｉｔ」が表示される。なお、この場合、紙幣の向きを示す情報としては、正方向と逆方向とが共に選択状態、つまり、正方向と逆方向との混合（Ｍｉｘ）となっている。
【０１０１】
また、この場合、選択されているカセットは、区分集積装置１Ａ内の集積庫ではなく、施封装置１Ｂ内の集積庫５１である。このため、上記制御部８０は、「Ｓ１−１」のカセットの表示欄は、新たに追加しない。
【０１０２】
また、施封装置１Ｂ内の集積庫５１（「Ｓ１−１」のカセット）と集積庫５２（「Ｓ１−２」のカセット）とには、異なる条件（券種と紙幣の状態）の紙幣を割り当てることが可能である。しかしながら、通常、施封装置１Ｂ内の集積庫５１（「Ｓ１−１」のカセット）と集積庫５２（「Ｓ１−２」のカセット）とには、同一の条件（券種と紙幣の状態）の紙幣が割り当てられる。これは、一方の集積庫に集積された紙幣を施封処理している間に、他方の集積庫に紙幣を集積するためである。
【０１０３】
このように施封装置１Ｂ内の集積庫５１（「Ｓ１−１」のカセット）と集積庫５２（「Ｓ１−２」のカセット）とに同一の条件（券種と紙幣の状態）の紙幣を割り当てる場合、「Ｓ１−２」については、上述した「Ｓ１−１」に対する設定と同様な手順で「Ｓ１−１」と同じ条件の紙幣を割り当てる。
【０１０４】
これにより、「Ｓ１−１」および「Ｓ１−２」のカセットの表示欄（行）には、券種として「２０ユーロ」が表示されるとともに、正券と損券との混合であることを示す「Ｍｉｘ」ではなく、正券であることを示す「Ｆｉｔ」が表示される。
【０１０５】
さらに、「Ｂ」のカセットに「２０ユーロ」を割り当てる場合、管理者は、紙幣の券種として「２０ユーロ」を指定する券種指定ボタン１１３を選択する。たとえば、券種指定ボタン１１１〜１１７が非選択状態であれば、管理者は、券種指定ボタン１１３のみをタッチする。すると、制御部８０は、表示部８２に表示されている「２０ユーロ」を指定する券種指定ボタン１１３を選択状態とする。
【０１０６】
また、管理者は、紙幣の状態として、「損券」を指定する損券ボタン１３２を選択状態とするとともに、正券ボタン１３１を非選択状態とする。たとえば、デフォルト状態では、状態指定ボタン１３０としての正券ボタン１３１、損券ボタン１３２、正方向ボタン１３３および逆方向ボタン１３４が全て選択状態となっているものとする。この場合、管理者は、正券ボタン１３１をタッチする。すると、制御部８０は、正券ボタン１３１の選択状態を解除する（正券ボタン１３１を非選択状態とする）。これは、状態指定ボタン１３０のうち正券ボタン１３１以外のボタン（損券ボタン１３２、正方向ボタン１３３および逆方向ボタン１３４）が選択状態となることを意味する。
【０１０７】
また、管理者が上記表示ウインドウ１０１の「Ｂ」のカセットの欄（行）をタッチすると、制御部８０は、「Ｂ」のカセットの欄を反転表示状態（選択状態）とする。このような表示状態において管理者が追加ボタン１４１にタッチすると、上記制御部８０は、選択状態となっている「Ｂ」のカセットの欄に「２０ユーロ」及び「Ｕｎｆｉｔ（損券）」を表示する。
【０１０８】
これにより、「Ｂ」のカセットの表示欄（行）には、券種として「２０ユーロ」が表示されるとともに、正券と損券との混合であることを示す「Ｍｉｘ」ではなく、損券であることを示す「Ｕｎｆｉｔ」が表示される。
【０１０９】
以上のような第２の具体例の手順によれば、簡単に、施封装置１Ｂの集積庫５１（「Ｓ１−１」のカセット）および施封装置１Ｂの集積庫５２（「Ｓ１−２」のカセット）には、２０ユーロの正券を割り当て、区分集積装置１Ａの集積庫４２（「Ｂ」のカセット）には、２０ユーロの損券を割り当てることができる。
【０１１０】
次に、正損レベルの設定について説明する。  
正損レベルとは、上述したように、紙幣の状態を正券と損券とに区分するための閾値である。紙葉類処理システムの運用形態においては、各紙幣の券種ごとに正損レベルを設定することが好ましい。このため、紙葉類処理システムでは、各紙幣ごとに正損レベルを設定することができるようになっている。これは、使用者、あるいは、再流通する紙幣の用途、あるいは、券種ごとに異なるレベルにより正損を区分したいという要望があるためである。
【０１１１】
図１２は、正損レベルの設定画面の表示例を示す図である。  
上記のように、カセットアサイン画面において管理者が正損レベル設定ボタン１５１にタッチすると、上記制御部８０は、図１２に示すような正損レベルの設定画面を表示する。図１２に示す正損レベルの設定画面には、共通設定ボタン１６１、個別設定ボタン１６２、決定ボタン１６３、リターンボタン１６４、および、複数のマイナスボタン１７０ａ、１７１ａ、…、１７７ａおよびプラスボタン１７０ｂ、１７１ｂ、…、１７７ｂが設けられている。
【０１１２】
上記共通設定ボタン１６１は、各券種に共通な正損レベルを設定するためのボタンである。上記個別設定ボタン１６２は、各券種ごとに正損レベルを設定するためのボタンである。上記決定ボタン１６３は、画面上に表示されている設定内容を確定するためのボタンである。上記リターンボタン１６４は、前の画面（カセットアサイン画面）に戻ることを指示するボタンである。
【０１１３】
たとえば、図１２に示すような正損レベルの設定画面において各券種に対する正損レベルを一括して指定する場合（各券種に対して共通の正損レベルを指定する場合）、管理者は、上記共通設定ボタン１６１をタッチする。上記共通設定ボタン１６１がタッチされると、上記制御部８０は、上記共通設定ボタン１６１を選択状態とし、各券種に共通の正損レベルの値の指定が可能な状態とする。
【０１１４】
上記共通設定ボタン１６１が選択された状態において、上記管理者は、マイナスボタン１７０ａとプラスボタン１７０ｂとにより各券種に共通の正損レベルの値を指定（入力）する。すると、上記マイナスボタン１７０ａおよびプラスボタン１７０ｂにより管理者が指定した値は、各券種に共通の正損レベルの値として表示される。
【０１１５】
また、図１２に示すような正損レベルの設定画面において券種ごとに正損レベルを指定する場合、管理者は、上記個別設定ボタン１６２をタッチする。上記個別設定ボタン１６２がタッチされると、上記制御部８０は、上記個別設定ボタン１６２を選択状態とし、各券種に対する正損レベルの値の指定が可能な状態とする。
【０１１６】
上記個別設定ボタン１６２が選択された状態において、管理者は、５ユーロ（１０ユーロ、２０ユーロ、５０ユーロ、１００ユーロ、２００ユーロ、５００ユーロ）に対する正損レベルの値を、マイナスボタン１７１ａ（１７２ａ、１７３ａ、１７４ａ、１７５ａ、１７６ａ、１７７ａ）とプラスボタン１７１ｂ（１７２ｂ、１７３ｂ、１７４ｂ、１７５ｂ、１７６ｂ、１７７ｂ）とにより指定（入力）する。すると、管理者により指定された値は、各券種ごとの正損レベルの値として各券種に対応させて表示される。
【０１１７】
上記のような正損レベルの設定画面によれば、各券種ごとに正損レベルを容易に設定することができる。これにより、紙幣処理システムでは、各券種の紙幣に対して異なる閾値に基づいて正券あるいは損券に区分することが可能となる。さらに、上記のような正損レベルの設定画面では、各券種ごとの正損レベルを設定することができるとともに、複数の券種に共通な正損レベルを一括して設定することも可能である。これにより、紙幣処理システムの使用者の要望に応じた正損レベルの設定を簡単に行うことが可能となる
次に、プリセットの設定について説明する。  
上述しように、カセットアサイン画面において設定した各集積庫に対する設定あるいは正損レベル設定画面において設定した正損レベルの値などの設定内容は、プリセットと呼ぶ設定名に対応づけて保存される。すなわち、紙幣処理システムでは、各集積庫（カセット）に対する設定および各券種ごとの正損レベルの設定などの設定内容を、複数のプリセットにより複数のパターンとして保存することが可能である。
【０１１８】
これらのプリセットは、たとえば、上記のようなカセットアサイン画面において選択が可能である。このような各プリセットの設定内容は、変更（保存）および呼び出しを容易に行うことができる。たとえば、複数のプリセットは、紙幣処理システムの運用時においては、処理する紙幣の状態あるいは処理後の紙幣の用途などに応じてオペレータ（管理者でなくとも良い）により選択される。オペレータが所望のプリセットを選択すると、紙幣処理システムでは、選択されたプリセットの設定内容を読み込み各部の動作設定を行う。したがって、用途に応じた種々の設定内容を複数のプリセットとして保持することにより、用途に応じた運用を容易に行うことができるとともに、用途に応じた詳細な設定を予め行っておくことが可能となる。
【０１１９】
図１３は、プリセットの作成画面の表示例を示す図である。  
上記のようなプリセット（設定名）は、図１３に示すようなプリセットの作成画面において管理者により作成される。たとえば、図７に示すカセットアサイン画面において管理者がプリセットボタン１５４にタッチすると、上記制御部８０は、図１３に示すようなプリセットの作成画面を表示する。
【０１２０】
図１３に示すプリセットの作成画面では、キーボード画面１８０、表示ウインドウ１８１、表示ウインドウ１８２、追加ボタン１８３、削除ボタン１８４、リターンボタン１８５などが表示されている。上記キーボード画面１８０は、プリセット（設定名）を入力するための複数のボタンを有している。たとえば、上記キーボード画面１８０は、数字、記号あるいは文字などを入力する複数のボタンから構成される。図１３の表示例では、上記キーボード画面１８０としてテンキーを表示した例を示している。
【０１２１】
上記表示ウインドウ１８１は、キーボード画面１８０により入力されたプリセットを表示する領域である。上記表示ウインドウ１８２は、予め設定されてプリセットから選択されたプリセットを表示する領域である。上記追加ボタン１８３は、上記表示ウインドウ１８１に表示されたプリセットの登録を指示するボタンである。上記削除ボタン１８４は、選択されたプリセットの削除を指示するボタンである。上記リターンボタン１８５は、表示画面を前の画面（たとえば、カセットアサイン画面）に戻ることを指示するボタンである。
【０１２２】
たとえば、プリセットを作成する場合、管理者は、図７に示すようなカセットアサイン画面においてプリセットボタン１５４をタッチする。すると、上記制御部８０は、図１３に示すようなプリセットの作成画面を表示する。プリセットの作成画面が表示されると、管理者は、キーボード画面１８０によりプリセット（設定名）としての名称を入力する。上記キーボード画面１８０により入力されたプリセットとして名称は、上記表示ウインドウ１８１に表示される。この状態において管理者が追加ボタン１８３をタッチすると、制御部８０は、上記表示ウインドウ１８１に表示されている名称をプリセットとして登録する。
【０１２３】
上記のようなプリセットの作成画面では、管理者が任意の名称でプリセットを作成することができる。これにより、複数のプリセットを容易に登録することができ、複数のプリセットにより複数のパターンの設定内容を登録することができる。また、複数のプリセットを任意の名称で登録することができるため、運用時には、各プリセットの名称から用途に適した設定内容のプリセットを容易に選択することができる。
【０１２４】
次に、運用時における操作手順について説明する。  
ここでは、プリセットを選択して紙幣に対する処理を実行するための操作手順について説明する。  
本紙幣処理システムは、上記のようなプリセットで保存されている設定内容に基づいて紙幣に対する処理を行うようになっている。紙幣に対する処理は、通常、管理権限を有しない係員であっても実施することが可能である。したがって、上記係員は、上記制御装置２の表示部８２及び操作部８３を用いて、予め設定されている複数のプリセットから１つのプリセットを指定する。これに対して、紙幣処理システムでは、係員により選択されたプリセットの設定内容を読み込み、各部の設定を行う。この状態で係員により処理の開始が指示されると、紙幣処理システムでは、読み込んだプリセットの設定内容に基づいて紙幣に対する処理を実行する。
【０１２５】
図１４は、紙幣に対する処理を開始させる係員がプリセットを選択するための選択画面の表示例を示す図である。  
図１４に示すようなプリセットの選択画面は、管理権限を持たない係員にも操作ができるようになっている。たとえば、図４に示すようなログイン画面において管理権限を持たない係員がログインした場合にも、図１４に示すプリセットの選択画面は、表示されるようになっている。
【０１２６】
図１４に示すプリセットの選択画面では、キーボード画面１９１、表示ウインドウ１９２、スタートボタン１９３、リターンボタン１９４などが表示されている。上記キーボード画面１９１は、キーボードとしてテンキーを表示した例を示している。上記表示ウインドウ１９２は、選択されているプリセットを表示する領域である。図１４に示す表示ウインドウ１９２の例では、表示領域の端部に切換ボタン１９２ａが表示されている。
【０１２７】
上記スタートボタン１９３は、上記表示ウインドウ１９２に表示されているプリセットの設定内容に基づく紙幣の処理を指示するボタンである。上記リターンボタン１９４は、表示画面を前の画面（たとえば、ログイン画面）に戻すことを指示するボタンである。
【０１２８】
たとえば、上記切換ボタン１９２ａがタッチされると、上記制御部８０は、記憶部８１に記憶している設定済みのプリセット（設定名）のリスト状に一覧表示する。このように一覧表示されたプリセットから、係員は、所望のプリセットをタッチする。一覧表示されているうちの１つのプリセットがタッチされた場合、上記制御部８０は、係員により選択されたプリセットを表示ウインドウ１９２の表示領域に表示する。このとき、画面上に表示されているプリセットの一覧はクリアするようにしても良い。これにより、図１４に示すプリセットの選択画面では、プリセットが選択された状態となる。
【０１２９】
この状態において係員がスタートボタン１９３をタッチすると、上記制御部８０は、選択されているプリセットの設定内容を読み込む。この際、上記制御部８０は、当該プリセットの設定内容に基づいて各部の設定を行う。選択されたプリセットに応じた各部の設定が終了すると、上記制御部８０は、上記取出し部にセットされている紙幣を１枚づつ取り込んで、紙幣に対する処理を実行する。これにより、プリセットに保存されている設定内容を容易に読み出すことができ、設定内容に応じた集積処理が簡単に行える。
【０１３０】
なお、通常、１つの施封束に複数券種の紙幣が混ざることは不都合である。このため、図１４に示すプリセットの選択画面によるプリセットの変更（選択）は、少なくとも施封装置１Ｂの集積庫５１および５２内の紙幣を全て除去しないと実施できないようになっている。また、各集積庫内の紙幣の有無は、各集積庫に装備された図示しないセンサにより検知されるものである。
【０１３１】
上記のように、本実施の形態の紙幣処理システムでは、紙幣の券種および状態などを検査する判定部と、この判定部により検査された紙幣を集積する複数の集積庫とを有し、表示部に表示するグラフィカルな設定画面において、集積庫と、その集積庫に集積すべき紙幣の条件として紙幣の券種及び紙幣の状態（汚損度や向き）とが選択された場合、選択された集積庫に選択された条件の紙幣を集積するように設定するものである。これにより、各集積庫に集積すべき紙幣の条件を容易に設定することができる。
【０１３２】
さらに、上記設定画面において１つの集積庫に１つの条件を指定した場合、上記設定画面には、当該集積庫に別の条件を指定するための操作手段を追加する。これにより、１つの集積庫に複数の券種などの複数の条件の紙幣を割り当てることができる。
【０１３３】
さらに、上記設定画面において設定された設定内容を設定者が指定した複数のプリセット（設定名）で保存し、これらのプリセットで保存されている設定内容をオペレータによるプリセットの選択に基づいて読み出して紙幣処理システム内の各部の設定を行う。これにより、複数の用途に応じた複数の設定内容をプリセットに対応づけて保存することができ、紙幣処理システムの稼動時には用途に応じた設定を容易かつ迅速に行うことができる。
【０１３４】
さらに、上記設定画面において紙幣を正券か損券かを判定するための閾値（正損レベル）の設定を行う操作ボタンが指示された場合、紙幣の各券種ごとの正損レベルを設定する正損レベル設定画面を表示し、この正損レベル設定画面において指定された各券種の正損レベルを設定内容の１つとして保存するようにしたものである。これにより、ユーザ側の要望に応じたレベルで各券種を正券と損券とに区分することができる。
【０１３５】
さらに、上記設定画面には、集積庫を一覧表示し、その一覧表示において各集積庫に割り当てられている、券種、正券、損券、正方向および逆方向などの紙幣の条件を表示するようになっている。これにより、各集積庫に割り当てられている紙幣の条件を容易に視認できる。
【０１３６】
さらに、上記設定画面には、券種、正券、損券、正方向および逆方向等の紙幣の券種及び状態を示す表示欄に、割り当てられている集積庫を示す情報を表示する。これにより、各券種が割り当てられている集積庫を容易に視認できる。
【０１３７】
さらに、上記設定画面は、認証情報により操作している人物が管理権限を有する人物であることが認証された場合にのみ表示する。これにより、設定内容の不正な変更あるいは管理権限を持たない係員による安易な設定変更を防止することができる。
【図面の簡単な説明】
【０１３８】
【図１】この発明の実施の形態に係る紙幣処理システム（紙葉類処理装置）の概略構成を示す図。
【図２】紙幣処理システムの制御系のブロック図を示す図。
【図３】制御装置においてカセットの設定画面を表示する動作を説明するためのフローチャート。
【図４】ログイン画面の表示例を示す図。
【図５】管理者の認証画面の表示例を示す図。
【図６】管理者用のメニュー画面の表示例を示す図。
【図７】各集積庫の設定画面（カセットアサイン画面）の表示例を示す図。
【図８】券種指定ボタンと割り当て状態表示キーの例を示す図。
【図９】各割り当て状態表示キーが表す情報を説明するための図。
【図１０】図７に示すようなカセットアサイン画面を用いた各種の設定動作を説明するためのフローチャート。
【図１１】図７に示すようなカセットアサイン画面を用いた各種の設定動作を説明するためのフローチャート。
【図１２】正損レベルの設定画面の表示例を示す図。
【図１３】プリセットの作成画面の表示例を示す図。
【図１４】運用時の操作手順において、プリセットを選択するための選択画面の表示例を示す図。
【符号の説明】
【０１３９】
Ｐ…紙幣、１…紙幣処理装置本体、１Ａ…区分集積装置、１Ｂ…施封装置、２…制御装置、３０…検知部、４１〜４６…集積庫、５１、５２…集積庫、５４…施封機構、６０…制御部、６１…記憶部、６２…制御部、６３…搬送制御部、６４…ゲート制御部、６５…判定部、７０…制御部、７１…記憶部、７２…搬送制御部、７３…ゲート制御部、７４…移動機構、８０…制御部、８１…記憶部、８２…表示部、８３…操作部、１０１…表示ウインドウ、１０２…表示ウインドウ、１０３…読込ボタン、１０４…記憶ボタン、１１１〜１１７…券種指定ボタン、１２１〜１２７…状態表示アイコン、１３１…正券ボタン、１３２…損券ボタン、１３３…正方向ボタン、１３４…逆方向ボタン、１４１…追加ボタン、１４２…削除ボタン、１５１…正損レベル設定ボタン、１５２…アプライボタン、１５３…紙帯プリント設定ボタン、１５４…プリセットボタン、１５５…リターンボタン
【図１】
2006202036.tif 000003
【図２】
2006202036.tif 000004
【図３】
2006202036.tif 000005
【図４】
2006202036.tif 000006
【図５】
2006202036.tif 000007
【図６】
2006202036.tif 000008
【図７】
2006202036.tif 000009
【図８】
2006202036.tif 000010
【図９】
2006202036.tif 000011
【図１０】
2006202036.tif 000012
【図１１】
2006202036.tif 000013
【図１２】
2006202036.tif 000014
【図１３】
2006202036.tif 000015
【図１４】
2006202036.tif 000016